(57)【特許請求の範囲】
【請求項１】
錠（２００）と鍵（１００）を含み、この錠（２００）が
−円筒状の孔を有するハウジング（２０４）と、
−長手方向に延びたキースロット（２０１）と、このスロット（２０１）の一側部に一列に配された複数の側部ロックタンブラー（２０６）とを有し、この側部ロックタンブラー（２０６）が側部ロック手段（２１３）と協働することによって前記円筒状の孔内で回転しないようにロックされる前記孔内で回転自在に軸支された円筒状のキープラグ（２０２）とを有し、
−少なくとも１つの前記側部ロックタンブラー（２０６）が横手方向に突出したフィンガー部（２０８）を有し、上下および回転運動のために対応するチャンバー（２０７）内に取り付けられ、
−この上下運動が前記チャンバー（２０７）に沿って前記側部ロックタンブラー（２０６）に加えられる力（２１６）の作用に抗して行われ、
−側部ロックタンブラー（２０６）の回転運動は、揺動運動を行うフィンガー部（２０８）に対応し、かつ、フィンガー部（２０８）の各揺動端部位置に対応する２つの角度位置間で制限され、
前記鍵（１００）が
−対応する錠のキープラグ（２０２）の前記キースロット（２０１）内に挿入可能な長手方向に延びたキーブレード（１０２）を含み、
−前記キーブレード（１０２）は、長手方向に延びた棚状の面によって上方に形成されたキーブレード（１０２）の一側部に素材領域を有し、この棚状面は、キーブレード（１０２）の自由端部（１０７）に形成されたランプ面（１０６）を含む波状案内面（１０５）を形成するために素材領域内に切れ込んだ側部コードパターンによって少なくとも部分的に遮断されており、
−この波状案内面（１０５）は、少なくとも１つの前記側部ロックタンブラー（２０６）のフィンガー部（２０８）と係合し、この側部ロックタンブラー（２０６）を波状案内面（１０５）に沿って移動させ、一方この側部ロックタンブラー（２０６）は、前記力（２１６）に抗して上下運動し、フィンガー部（２０８）は、キーブレード（１０２）がキースロット（２０１）に挿入された際に前記各揺動端部位置の間で横方向に揺動させられ、
−前記波状案内面（１０５）は、前記側部ロックタンブラー（２０６）に対応し、キーブレード（１０２）がキースロット（２０１）に完全に挿入された際に側部ロックタンブラー（２０６）によって前記側部ロック手段（２１３）が前記ハウジング（２０４）に対してキープラグ（２０２）を回転式に開放する特定の位置にフィンガー部（２０８）を案内する少なくとも１つの側部コード部（１２２、１２３、１２４、１２５）を含み、
−前記少なくとも１つの側部コード部（１２２、１２３、１２４、１２５）が、所定数の垂直コードレベルのうちの選択された１つで所定数の長手位置のうちの選択された１つに位置し、かつ、前記波状案内面（１０５）の隣接する傾斜部分を有する凹部によって区画されたロックキーシステムにおいて、
前記少なくとも１つの側部コード部（１２２、１２３、１２４、１２５）のための前記所定数の垂直コードレベルに加えて、追加の垂直コードレベルが、前記凹部の垂直コードレベルよりも高い垂直コードレベルで前記棚状面の近くに位置し、前記追加の垂直コードレベルに少なくとも１つの追加の側部コード部（１２１）が長手方向に延びる形で設けられており、前記追加の側部コード部（１２１）が、これと対応する側部ロックタンブラー（２０６）のフィンガー部（２０８）を所定の位置に位置させ保持させるのに十分な摩擦を生じさせる実質的に平坦な支持面を形成するための所定の長さを有しており、キーブレード（１０２）がキースロット（２０１）に完全に挿入された際、前記追加の側部コード部（１２１）と対応するフィンガー部（２０８）が、前記揺動端部位置の１つに対応した、キーブレード（１０２）の前記自由端部（１０７）の方に斜めに向いた前方揺動端部位置に位置しその位置で保持され、それにより、可能なコードの組み合わせ数が増加することを特徴とするロックキーシステム。
【請求項２】
前記追加の側部コード部（１２１）が、キーブレード（１０２）の前記自由端部（１０７）の方に斜めに向いた前記前方揺動端部位置にフィンガー部（２０８）を保持する支持面（１１３、１１４、１１６、１１７）を含み、該支持面（１１３、１１４、１１６、１１７）が前記追加の側部コード部（１２１）に前記前方揺動端部位置から離れた方向への揺動運動に抗する役割りを果たす少なくとも１つの浅い凹部の一部を形成されていることを特徴とする請求項１記載のロックキーシステムに使用する鍵。
【請求項３】
前記浅い凹部が湾曲状の支持面（１１４）およびこれに隣接する直線状の支持面（１１３）を含むことを特徴とする請求項２記載の鍵。
【請求項４】
前記支持面（１１７、１１９）が２つの浅い凹部の間に上方に突出した部分（１１８）を有することを特徴とする請求項２記載の鍵。
【請求項５】
前記キーブレード（１０２）の下縁部から前記棚状面までの前記側部素材領域の高さが２．０乃至２．５ｍｍであることを特徴とする請求項１乃至４いずれか１項記載の鍵。
【請求項６】
前記高さが約２．２ｍｍであることを特徴とする請求項５記載の鍵。
【請求項７】
前記少なくとも１つの浅い凹部が前記側部素材領域の高さの５乃至１５％であることを特徴とする請求項２記載の鍵。
【請求項８】
前記少なくとも１つの浅い凹部の垂直方向の高さが０．１５乃至０．２５ｍｍであることを特徴とする請求項７記載の鍵。
【請求項９】
棚状面（１３１）がキーブレード（１０２）の上方縁部（１３２）の下に位置し、前記上方縁部も別個の頂部コードパターンを製するための素材領域を有することを特徴とする請求項１乃至８いずれか１項記載の鍵を製するためのキーブランク。
【請求項１０】
棚状面（１５２）が前記キーブレード（１０２）の幅の広い下方部分（１５１）の上面に位置していることを特徴とする請求項９記載のキーブランク。
【請求項１１】
棚状面（１５２）が上方に突出し、前記キーブレード（１０２）の前記幅の広い下方部分（１５１）の前記棚状面（１５２）を形成する長手方向に延びた舌部（１５３）に位置していることを特徴とする請求項１０記載のキーブランク。
【請求項１２】
棚状面（１４１）が前記キーブレード（１０２）の平坦な側部面に形成された長手方向に延びた直線状の溝（１４２）の下方壁部を含むことを特徴とする請求項９記載のキーブランク。
【請求項１３】
棚状面（１６２）が前記溝（１６１）のアンダーカットされた下方壁部を含むことを特徴とする請求項１２記載のキーブランク。
【請求項１４】
棚状面（１６２）が前記キーブレード（１０２）の中央面に対して鋭角に配向されたアンダーカットされた下方壁部を含むことを特徴とする請求項１３記載のキーブランク。
【請求項１５】
請求項９乃至１４いずれか１項に記載のキーブランクから製せられた鍵。
【請求項１６】
対応する鍵（１００）のキーブレード（１０２）の棚状面の近くに設けられた追加の垂直コードレベルに位置する追加の側部コード部（１２１）と協働するように設けられた少なくとも１つの側部ロックタンブラー（２０６）が設けられている請求項１に記載のロックキーシステムに使用される錠。
【請求項１７】
対応する鍵（１００）の前記追加の側部コード部（１２１）に対応する前記少なくとも１つの側部ロックタンブラー（２０６’）がその回転位置に関係なく、所定の高さに位置した際に前記キープラグ（２０２）を前記側部ロック手段（２１３）から解除させるように設けられていることを特徴とする請求項１６記載の錠。
【請求項１８】
前記少なくとも１つの側部ロックタンブラー（２０６）が、それが特定の高さおよび回転位置に位置した時だけ、前記キープラグ（２０２）を前記側部ロック手段（２１３）から解除させるように設けられていることを特徴とする請求項１６記載の錠。
【請求項１９】
一列に配された側部ロックタンブラー（２０６）が設けられ、その内の少なくとも１つが上下および回転運動のために設けられており、その内のさらなる少なくとも１つの側部ロックタンブラー（２０６’’、２０６’’’）が１０°を超えない狭い角度範囲で回転運動が制限されて設けられており、対応する鍵の前記波状案内面（１０５）と協働するためのフィンガー部（２０８’’、２０８’’’）を有することを特徴とする請求項１６記載の錠。
【請求項２０】
さらなる少なくとも１つの側部ロックタンブラー（２０６’’、２０６’’’）が上下運動だけするように設けられ、そのフィンガー部（２０８’’、２０８’’’）が揺動しないように案内され、通常、平坦、凹状または傾斜部のコード位置と接触するように形成されていることを特徴とする請求項１９記載の錠。
【請求項２１】
さらなる少なくとも１つの側部ロックタンブラー（２０６’’、２０６’’’）が前記追加の垂直コードレベルの下方の位置に位置したとき、前記キープラグ（２０２）を解除するように設けられていることを特徴とする請求項１９記載の錠。
【請求項２２】
さらなる少なくとも１つの側部ロックタンブラー（２０６’’、２０６’’’）が前記追加の垂直コードレベルに位置したとき、前記キープラグ（２０２）を解除するように設けられていることを特徴とする請求項１９記載の錠。
【請求項２３】
キーブレード（１０２）の自由端部（１０７）から離れた後方揺動端部位置にさらなる少なくとも１つの側部ロックタンブラー（２０６’’、２０６’’’）のフィンガー部（２０８’’、２０８’’’）を保持する追加の側部コード部を有することを特徴とする請求項１９に記載の錠に使用される鍵。
【請求項２４】
キーブレード（１０２）の前記波状案内面（１０５）が、少なくとも１つの側部ロックタンブラー（２０６）用にダブルカット部を有し、それによって前記波状案内面（１０５）が所定の長手方向の位置で異なる側部ロックタンブラーを有する２つの異なる錠と協働するようにされていることを特徴とする請求項１９に記載の錠に使用される鍵。
【発明の詳細な説明】
【技術分野】
【０００１】
本発明は、多数のコードの組み合わせを有する防護性の高い錠および鍵（ロックキー）システムに関する。このシステムは、鍵のキーブレードがその一側部に波状の案内面を有し、これが回転自在なキープラグを有する錠に挿入されると、キープラグが回転するのをロックする側部ロック機構と協働する１つ以上の側部ロックタンブラーと係合する。このようなロックキーシステムは下記特許文献１および２などからすでに知られている（両方ともBo Widenの名で出願されている）。
【特許文献１】米国特許第４，７５６，１７７号
【特許文献２】米国特許第５，７１５，７１７号
【背景技術】
【０００２】
また本発明は、このようなシステムに使用されるキーならびにキーブランクおよび錠に関する。
【０００３】
本発明のロックキーシステムは、上述の種類の鍵と錠を含み、この錠は、
−円筒状の孔を有するハウジングと、
−長手方向に延びたキースロットと、このスロットの一側部に一列に配された複数の側部ロックタンブラーとを有し、この側部ロックタンブラーが側部ロック手段と協働することによって上記円筒状の孔内で回転しないようにロックされる上記孔内で回転自在に軸支された円筒状のキープラグとを有し、
−少なくとも１つの側部ロックタンブラーが横手方向に突出したフィンガー部を有し、上下および回転運動のために対応するチャンバー内に取り付けられ、
−この上下運動がこのチャンバーに沿って上記側部ロックタンブラーに加えられる力の作用に抗して行われ、
−側部ロックタンブラーの回転運動は、揺動（pivot）運動を行うフィンガー部に対応し、かつ、フィンガー部の各揺動端部位置に対応する２つの角度位置間で制限され、
鍵は、
−対応する錠のキープラグのキースロット内に挿入可能な長手方向に延びたキーブレードを含み、
−このキーブレードは、長手方向に延びた棚状の面によって上方に形成されたキーブレードの一側部に素材（material）領域を有し、この棚状面は、キーブレードの自由端部に形成されたランプ面を含む波状の案内面を形成するために素材領域内に切れ込んだ側部コードパターンによって少なくとも部分的に遮断されており、
−この波状案内面は、少なくとも１つの側部ロックタンブラーのフィンガー部と係合し、この側部ロックタンブラーを波状案内面に沿って移動させ、一方この側部ロックタンブラーは、上記力に抗して上下運動し、フィンガー部は、キーブレードがキースロットに挿入された際に上記揺動端部位置の間で横方向に揺動させられ、
−この波状案内面は、上記側部ロックタンブラーに対応し、キーブレードがキースロットに完全に挿入された際に側部ロックタンブラーによって上記側部ロック手段が上記ハウジングに対してキープラグを開放する特定の位置にフィンガー部を案内する少なくとも１つの側部コード部を含み、
−この少なくとも１つの側部コード部が、所定数の垂直コードレベルのうちの選択された１つで所定数の長手位置のうちの選択された１つに位置し、かつ、前記波状案内面の隣接する傾斜部分を有する凹部によって区画されている。
【０００４】
上述の米国特許から知られているこのようなロックキーシステムは、回転自在なタンブラーまたはその中で揺動するフィンガー部を有さない従来のシステムと比較して、非常に高度なセキュリティー性能を有する。このロックキーシステムでは非常に多くのコードの組み合わせが可能であり、錠をこじ開けたり、操作するのが非常に困難である。そのタンブラーは、キースロット内に僅かに部分的に露出しており、タンブラーの正しい上下および揺動コードポジションは、キースロットからは、見ることができない。従って、特定のコードポジションは、キースロット内を覗くまたは道具を用いてフィンガー部の位置をさぐっても知ることはできない。
【０００５】
公知のキーブレードの波状案内面（場合によっては側部鍵の歯形状とも呼ばれる）の各側部コード部は、２つの上方に傾斜した傾斜部分を有する凹部によって構成され、これら傾斜部分は、その長手方向の側部に滑らかに隣接している。これらの凹部は、キーブレードの側部で複数の所定の垂直コードレベルに位置させることが可能である。より具体的には側部コード部の最も高い垂直コードレベルを波状案内面が切り込まれる側部素材領域の最も高い部分より幾分下方に位置する垂直レベルに位置させ、隣接する傾斜部の垂直方向の延長部を供する（accommodate）。この種の鍵の公知の典型例を図２８に示す。
【０００６】
コード構造のための特定の側部ロックタンブラーに対応する側部コード部の可能な数は、所定の垂直コードレベルと側部ロックタンブラーに対する複数の長手方向の位置との組み合わせによって決まる。長年に亘って商業的に使用されてきた典型的なシステムでは、側部ロックタンブラーの数は、５つ（キーブレードの上方縁部と協働する６つの中央に位置する上部ロックタンブラーとは別に）である。波状案内面または側部鍵の歯形状がキーブレードの側部で切り込まれる側部素材領域の高さは、比較的低い（キーブレードの長手方向に対して垂直な方向）、例えば約２．０ｍｍ（約０．０８０インチ）ほどである。従って特にキーブレードの底縁部から計算して０．６０ｍｍ（０．０２４インチ）および１．２０ｍｍ（０．０４８インチ）という２つの垂直コードレベル間ではコードを明確に差別化することができるが、限られた数の垂直コードレベルしか供することができない。
【０００７】
このような差別化された垂直コードレベルは、対応する側部ロックタンブラーのフィンガー部の特定の位置に関連する。ここで使用される態様では、フィンガー部の各揺動限界位置（＋１５°と−１５°の揺動角度で）に対応する２つの垂直コードレベルと中間の揺動位置（０°の揺動角度で）に対応するさらなる２つの垂直コードレベルがあり、これら垂直コードレベルは、前述の２つの垂直コードレベルより僅かに高く、０．９０ｍｍ（０．０３６インチ）および１．５０ｍｍ（０．０６０インチ）ほどである。０°の揺動角度で側部コード部の垂直コードレベルが揺動限界位置角度での垂直コードレベルよりも幾分高い理由は、隣接する揺動位置間の差または相互の距離が、明確に差別化されたコードを供するには小さすぎるからである。この違いは、垂直コードレベルだけでなく長手方向位置が異なるときに大きくなる。
【０００８】
従ってこの例の各側部ロックタンブラーには６つの可能なコード位置がある、即ち、
−＋１５°での揺動限界位置に対応する異なる垂直コードレベルでの２つのコード位置、
−−１５°での揺動限界位置に対応する異なる垂直コードレベルの２つのコード位置、
−中間揺動位置に対応する異なった僅かに高い垂直コードレベルでの２つのコード位置、
これにより各側部ロックタンブラーで合計で６つの可能なコード位置または合計で６５＝７７７６の異なる組み合わせが可能になる。
【０００９】
当然のことながら、この比較的多数の組み合わせをさらに増加させることが望まれている。しかしながら、鍵の寸法は、統一されており、また既存の施設に対応させなければならない。従って唯一の可能性としては、垂直コードレベルを接近させるか、これは接近させた垂直コードレベル間の垂直方向の差を０．５０ｍｍ（０．０２０インチ）未満にすることを意味する、または４つ以上の異なる揺動位置を用いることしかない、しかしながらこれもこのような変形をおこなっても非常に小さい長手方向の差にしかならないので不可能である。
【発明の開示】
【発明が解決しようとする課題】
【００１０】
これに対し、本発明の主たる目的は、鍵の複製または錠のピッキングに対してより高度な安全性を提供し、より多くの数のコードの組み合わせが可能であり、かつ、錠と鍵の総寸法が従来のものとは変わらないロックキーシステムを提供することである。さらに本発明は、鍵およびキーブランク（key blank）の製造を高度に制御することができるようにすることを目的とし、これによりこのロックキーシステムのユーザーは、鍵が独自のものであり、権限のない者が容易に複製することができないという安心感が得られる。
【課題を解決するための手段】
【００１１】
これらの目的は、請求項１に記載されている特徴を有するシリンダーロックおよびキーシステムによって達成される。従って当該ロックキーシステムに使用されている垂直コードレベルとは別に、本発明は、長手方向に延びた棚状の面、即ち波状案内面または側部鍵の歯形状がキーブレードの側部で切り込まれた上方の境界領域でさらに別の垂直コードレベルを供する。この追加の特別な垂直コードレベルのおかげでコードの組み合わせの数は、大幅に増加させることができ、上述の例においては、各側部ロックタンブラーの場合、６から７つにコードの組み合わせが増加し、一列の５つの側部ロックタンブラーがある場合、７７７６から１６８０７個に組み合わせの数が増加する。これは従来の組み合わせの２倍以上であり、９０３１個のさらなる組み合わせが可能となり、いくつかの態様では、それ以上になる。これらのさらなる組み合わせは、将来のロックキーシステムに利用することができ、従ってこのシステムのエンドユーザーに製造が管理されたキーブレードを販売することが可能になる。このようにしてこれらのさらなる組み合わせを使用することによって将来のシステムにおいても許可されていない鍵のコピーに対して非常に高度な安定性が維持される。
【００１２】
また新しい側部コードパターンが追加の垂直コードレベルにおいて少なくとも１つのさらなる側部コード部を含む既存の錠装置のために新しいキーを複製（cut）することも可能になる。既存の錠装置では、シリンダーの側部の組み合わせは、通常の組み合わせ技術、即ち既存の側部ロックタンブラーを追加の垂直コードレベルで作動するように設けられた新しい側部ロックタンブラーに交換することによって変えることができる。
【００１３】
このようにして既存の装置は新しい９０３１通りの組み合わせを利用するために容易にアップグレードすることができる。
【００１４】
本発明の概念は、側部鍵の歯形状を収容する側部素材領域の上部の境界において長手方向に延びた棚状の面であっても、それが凹部に隣接する互いに隣接する傾斜部分を供することができず、対応する側部ロックタンブラーのフィンガー部の揺動位置を独自に定めることができなくても側部コードパターンとして利用することができるという知見に基づいている。下方レベルに位置し、隣接する傾斜部分を有し、従って上述の米国特許に詳しく開示されているような凹部によって区画される側部コード部の場合、異なる側部コード部を特定の揺動位置に割り当てることができるが、このような差別化されたコードの割り当ては、通常隣接する傾斜部分を持たない上記長手方向に延びた棚状の面の領域において側部コード部を設けることは不可能であった。それにも拘わらず、このような側部コード部は、その垂直コードレベルに対して独自のものとなり、従って対応する側部ロックタンブラーのフィンガー部の特定の揺動位置に関係なく、特定のコードをこの追加の側部コード部に割り当てることができる。
【００１５】
しかしながら、実際には回転自在な側部ロックタンブラーのフィンガー部は、それが傾斜部分で長手方向に延びた棚状面の一部を形成する追加の側部コード部へと上方に（キーブレードが錠に挿入されている間）スライドすると常に特定の揺動位置に配向されるということも明らかになっている。フィンガー部が傾斜を上がっていくと、フィンガー部は、その自由端部がキーブレードの自由端部または先端に向くように案内される。実質的に平坦な隣接する追加の側部コード部上に移動するとフィンガー部は、キーブレードの錠のキースロット内への挿入が完了した後もこの特定の揺動位置に保持される。
【００１６】
フィンガー部は、それが平坦な追加の側部コード部に到達した際にランダムに揺動すると考えられる。しかしながら、フィンガー部の質量は、タンブラー胴体の質量と比較しても非常に軽い。従ってフィンガー部は、タンブラー胴体がその対応するチャンバー内でその軸を中心に回転する場合のみ揺動することができる。錠が垂直またはその他のランダムな動きにさらされたとしてもタンブラーを回転させるタンブラーに作用するトルクは発生しない。さらにタンブラー胴体には、例えばスプリングによる力が加わっているので、フィンガー部と平坦な追加の側部コード部の面との接触点での特定の摩擦を生じる。これはなぜフィンガー部が実質的に、その特定の位置に保持されるか、即ち、キーブレードの自由端部に向いた前方揺動端部位置に位置するかを説明している。
【００１７】
従って、平坦な追加の側部コード部上にいかなるストッパーまたは保持手段を必要としない。それでも安全な側に位置し、フィンガー部がその位置から動いてしまうという予期し得ないことを除外するためにキーブレードが錠のキースロットの挿入位置にある限り、積極的にフィンガー部をその揺動位置に保持する比較的浅い保持構造を有する平坦な追加の側部コード部を形成するのが好ましい。
【００１８】
追加の垂直コードレベルは、キーブレードに沿ったあらゆる長手方向位置、即ち、一列の複数の側部ロックタンブラーのいずれか１つのために使用することができる。各このような追加の側部コード部に対して対応する側部ロックタンブラーのフィンガー部は、上述のようにキーブレードの自由端部に向いた前方揺動端部位置に自動的に位置し、保持される。
【００１９】
本発明の多くの利点が添付の特許請求の範囲に記載されており、下記の詳細な説明からより明らかになるはずである。
【００２０】
本発明は、下記特許文献３に記載されているようなまたは他の種類のロック機構およびキーコードパターンと組み合わせて使用することができる。
【特許文献３】米国特許第５，０６７，３３５号
【００２１】
さらに多くの追加のコードの組み合わせを供するためにロックキーシステムに回転自在または非回転自在な側部ロックタンブラーの両方を使用することが可能である。システムのいくつかの錠に非回転自在な（しかし上下には移動可能である）側部ロックタンブラーと回転自在であって上下動可能な側部ロックタンブラーを使用することによって高度な安全性を維持するためにこのような非回転式の側部ロックタンブラーに対応するキーブレードの自由端部から離れて配された後端部および他のコード位置の追加の側部コード部と協働するように設けられたフィンガー部を設けてもよい。これによって各タンブラーに対してさらに１つのコード位置、即ち８番目のコード位置を得ることができる。
【００２２】
本発明を本発明のロックキーシステムのいくつかの好ましい態様を例示した添付図面を参照してより具体的に説明する。
【発明を実施するための最良の形態】
【００２３】
図１に本発明によるシステムに含まれるシリンダー錠と鍵を示す。鍵１００は、保持部１０１と錠２００のキースロット２０１に挿入可能なキーブレード１０２を有する。このキースロット２０１は、ハウジング２０４内の円筒状の孔２０３内に回転自在に軸支されたキープラグ２０２内を長手方向に延びている。
【００２４】
この態様では、キーブレード１０２は、中央に一列に配された上部ロックタンブラー２０５と協働する従来の切り欠き部をその上縁部に有する頂部コードパターン１０３を有する。
【００２５】
本発明ではこのキーブレードには上記米国特許に開示されているものと類似の特別な側部コード部を有する側部コードパターン１０４も設けられている。この側部コードパターンは、キーブレード１０２が錠２００のキースロット２０１内に挿入された際に一列に配された側部ロックタンブラー２０６と協働する連続的な通常、波状の案内面によって形成されている。
【００２６】
各側部ロックタンブラー２０６は、対応するチャンバー２０７（図２、３および４も参照）内に取り付けられ、その中で上下および回転運動をする。各側部ロックタンブラー２０６は、横方向に突出したフィンガー部２０８を有し、これらフィンガー部は、キースロット内に到達し、側部ロックタンブラーがチャンバー２０７内で回転すると揺動運動を行う。実際にはキーブレードがキースロット２０１内に挿入された際に側部ロックタンブラーのフィンガー部２０８がキーブレードの通常、波状の案内面の側部コードパターン１０４と係合し、側部ロックタンブラー２０６を上下および回転運動させる。
【００２７】
側部ロックタンブラー２０６にはその後部の円筒状面に一組の凹部２０９、２１０が設けられている（フィンガー部の反対側に）。これら凹部の内の１つ２０９を図２に示し、両方を図３に示している。これら凹部２０９、２１０の間には側部ロック手段または壁部材として機能する側部バー２１３内の対応する凹部２１２内に嵌め込まれるブリッジ部２１１が設けられている。この側部バー２１３は、外方円筒状面に隣接したキープラグ２０２内のスロット状の凹部２１４内に取り付けられている。側部バーは、図２に示すように錠のハウジング２０４内の対応する溝２１５内に通常位置するように半径方向外方にばねによって力が加えられている。この位置で側部バー２１３は、キープラグがハウジング２０４に対して回転するのを効果的に防いでいる。
【００２８】
しかしながら、キースロット２０１に正しくコードされたキーブレード１０２を有する鍵が挿入された際に全ての側部ロックタンブラーが正しく位置決めされた場合、ブリッジ部２１１は、側部バー２１３の対応する凹部２１２と整列し、これにより凹部が半径方向内方に移動することができる。このような内方の移動は、キーブレードが完全に挿入位置に位置している間、キーブレードを回転させることによって行うことができ、これにより溝２１５のフランク部が側部バーをスロット状の凹部２１４内へと内方へ変位させる。この時その他の中央に配置された上部ロックタンブラー２０５などの他のロック機構が解除されていれば、キープラグ２０２をハウジング２０４内で回転させることができる。
【００２９】
従ってキーブレード１０２がさらにキースロット２０１内を移動すると、フィンガー部２０８とキーブレード１０２の通常、波状の案内面との係合によって側部ロックタンブラー２０６が前後に回転し、同時に側部ロックタンブラーは、上下運動を行う。フィンガー部２０８には、下方向への力が加えられ、フィンガー部は、側部ロックタンブラー２０６とチャンバー２０７の内方上部壁で圧縮されたらせん状のばね２１６の作用によって案内面と摺動係合し続ける。
【００３０】
コード位置を有する側部コードパターン１０４は、キーブレード１０２の自由端部１０７に隣接したランプ（ramp）面１０６を含む通常、波状の案内面１０５によって構成されている。キーブレード１０２がキースロット２０１内に挿入されると、ランプ面が各側部ロックタンブラー２０６の各フィンガー部２０８と連続的に係合し、フィンガー部を揺動させ、かつ、持ち上げ、これによりフィンガー部２０８は、波状案内面１０５に沿って摺動する。このように摺動することによってフィンガー部２０８は、波状案内面１０５の傾斜面を追って上下に移動する。またフィンガー部は、揺動または前後に回転することによって側部ロックタンブラー２０６を回転させる。
【００３１】
図４に示すようにチャンバー２０７の下方部分からキースロット２０１内へと延びたチャネル２１７が設けられており、このチャネルの側壁が中央面からの各方向のフィンガー部２０８の揺動運動を制限する当接面２１８、２１９を構成している。図示の例では当接面２１８、２１９は、フィンガー部の動きが各方向において１５°に制限され、即ちフィンガー部は、この態様では３０°の扇形で左右に回転するように位置している。
【００３２】
ここまで説明してきた錠と鍵の構造および機能は、基本的には上記特許文献から知られている。図５に示すように側部コードパターン１０４を有するこの種の鍵１００（図１に示したものと同一である）は、５つの側部コード部１２１、１２２、１２３、１２４、１２５を有する。各側部コード部は、側部ロックタンブラー２０６の長手方向の配置（図１）に対応した長手方向位置に位置しているが、側部ロックタンブラーのフィンガー部２０８が揺動端部位置（−１５°または＋１５°）のいずれか一方に揺動した際にフィンガー部２０８の自由端の位置に対応した距離分僅かにずらすことも可能である。各側部コード部１２２、１２３、１２４、１２５は、鍵１００が錠のキースロット２０１内に完全に挿入されたときに特定の揺動位置に各フィンガー部を位置決めするのを補う２つの隣接する傾斜部分を有する凹部を形成している。
【００３３】
上記特許文献で説明されているようにこれにより側部ロックタンブラーの各フィンガー部の異なる上下の位置（elevational position）および異なる揺動位置、即ち上述の例では各側部ロックタンブラーのこのような６つの組み合わせ（６つ全ての側部コード部が同じ種類である場合、合計で６ｘ６ｘ６ｘ６ｘ６＝７７７６のコードの組み合わせ）に関係しているので、非常に多くの数の組み合わせを含むコードを供する。
【００３４】
しかしながら、コード位置の数を増やし、鍵の複製および錠のピッキングに対する安全性を向上させるために側部コード部を有する側部コードパターン１０４を構成する波状案内面１０５は、本発明による特別な方法で形成されている。このことを例示するためにキーブレードの側部に設けられたいくつかの変形側部コードパターンを示す図５乃至図９を参照する。これらの例では波状案内面１０５の１つ以上の側部コード部が隣接する２つの傾斜部分を有する凹部として形成されてなく、従来の側部コードパターンが切り込まれた素材領域の上部の境界を形成する棚状面となる上方の平坦な面の一部を形成する追加の側部コード部として形成されている。
【００３５】
キーブレードが完全にキースロット内に挿入された際に対応する側部ロックタンブラー２０６がこの追加の側部コード部と接触しながら、あらゆる回転角度位置に揺動できるように長手方向に長さを有してもよい。符号１２１で示すようにこのような実質的に平坦な追加の側部コード部を図５および１０に示す。
【００３６】
図６ａおよび６ｂに示す態様ではキーブレードの自由端部でランプ面１０６を含む波状案内面１０５は、３つの「通常の」凹部２２１、２２３および２２５を含むが、また２つの長手方向に延びた追加の側部コード部２２２および２２４を含む。対応する側部ロックタンブラーのフィンガー部２０８がこれら追加の側部コード部と係合すると、フィンガー部２０８（図２に示した）は、同じ高さに維持されながらあらゆる揺動または回転角度位置を取ることができる（図４参照）。しかしながら、上述したようにフィンガー部２０８は、自動的にキーブレードの自由端部または先端の方に向いた前方揺動端部位置に位置する。
【００３７】
従ってこの高さ自体が特別なコードを形成し、このコードは特定の側部ロックタンブラーの既存の「凹部に位置するコード」とは別のさらなるコードとなる。このようにして上述のものとは別の１つ以上の可能な追加の側部コード部、例えば６つのコード位置の代わりに７つの可能なコード位置がある。従って可能なコードの組み合わせの合計は、この特定の例では７ｘ７ｘ７ｘ７ｘ７＝１６８０７通りとなる。
【００３８】
一般的にこのような追加の側部コード部の数は、５つの側部ロックタンブラーと各側部ロックタンブラーの７つのコード位置を有するこの態様では、０、１、２、３、４または５にすることができる。
【００３９】
さらに別の例を図７ａ、７ｂ（凹部３２１、３２２、３２３および３２５に加えて１つの追加の側部コード部３２４を有する）、図８ａ、８ｂ（凹部４２１、４２２、４２３および４２４に加えて１つの追加の側部コード部４２５を有する）および図９ａ、９ｂ（２つの追加の側部コード部５２１、５２５および３つの凹部５２２、５２３、５２４）に示す。
【００４０】
追加の側部コード部は、いくつかの異なる方法で形成することができる。図１０に示すように（また図１および図５に示すように）、追加の側部コード部は、キーブレードの下方縁部と平行に延びた連続した直線状の長手方向に延びた面１２１によって形成することができる。
【００４１】
これとは別に図１１に示すように追加の側部コード部は、浅い凹部に隣接することができる比較的短い支持面１１１として形成することができる。この比較的短い面は、当接面２１８（図４に示した）と当接する揺動端部位置にフィンガー部２０８（側部ロックタンブラー２０６上の）を保持する。キーブレードをキースロット内に挿入すると、側部ロックタンブラーのフィンガー部２０８が波状案内面１０５からの摩擦係合によってこのような揺動端部位置内に振られる。
【００４２】
上述したようにキーブレードが完全にキースロット内に挿入されると、側部ロックタンブラーのフィンガー部２０８は、これらの前方揺動端部位置に留まる。従って傾斜面によってフィンガー部を所定の位置に保持する必要がない。
【００４３】
それでも図１２に示すように追加の側部コード部の主要直線状面１１５にカーブした部分１１４で滑らかに隣接する僅かに低い位置または浅い窪みに端部１１３を供することによって案内または支持を行うことができる。
【００４４】
図１３には図の中央より右にずれた位置に位置し、側部ロックタンブラーのフィンガー部２０８が両方向に揺動するのを弾性的に止める役割を果たす浅い凹部１１６が設けられている。
【００４５】
また図１４に示すように追加の側部コード部が長手方向両側に位置する２つの浅い凹部１１７、１１９によって形成された上方に突出した部分１１８を含むように形成することも可能である。
【００４６】
側部コード部のコードパターンおよびその位置を図１５に略式に示す。ここでは各側部ロックタンブラー２０６のフィンガー部２０８を７つの異なるコード位置、即ち６つの異なる位置に位置する凹部（２つの異なる垂直レベルにおける３つの揺動位置）と上述の追加の側部コード部に対応する位置に位置させることができる。フィンガー部２０８の３つの揺動位置を断面で図１５に示し、図１６乃至１８に斜視図で示す。
【００４７】
コード位置において側部ロックタンブラーのフィンガー部２０８を特定の揺動位置に位置させる場合、各側部ロックタンブラー２０６の後方円筒状面の凹部２０９、２１０間に位置するブリッジ部２１１は側部バー２１３（図３に示した）の凹部２１２と整列するように中央に位置する。当然のことながら、またこれらの凹部およびブリッジ部２１１は、キーブレード１０２の対応するコード位置の垂直コードレベルに対応した垂直位置においても位置決めされなければならない。フィンガー部があらゆる揺動位置に位置してもよいように追加の垂直コードレベルで追加の側部コード部と協働するように設けられた側部ロックタンブラー２０６’（図１９に示す）は、その後部面の凹部は、タンブラー２０６’の回転位置に関係なく、一体化された凹部２０９’として形成してもよい。
【００４８】
当然のことながら、これらの７つの異なるコード位置は、高低差を有してもよい。しかしながら、今日多く使用されている標準的な鍵では、例示した態様が典型的なものであり、非常に実用的な例である。キーブレードの長手方向に対して垂直なキーブレードの垂直方向の延長部は、約８．６ｍｍ（約０．３４インチ）であり、特定の案内面が切り込まれた側部素材部の垂直方向の延長部または高さは、約２．２ｍｍ（２．０乃至２．５ｍｍの範囲で）である。図１１乃至１４の浅い凹部の高さは、約０．２ｍｍ（０．１５乃至０．２５ｍｍの範囲で）である。
【００４９】
キーブレードおよび波状案内面が形成されている側部素材面の垂直方向の延長部が上述の寸法を有していても各側部ロックタンブラー２０６に対してコード位置の数を８つに増やすことも可能である。これを図２０乃至２２に例示する。ここではロックキーシステムは、非回転式側部ロックタンブラー２０６’’（図２１）または２０６’’’（図２２）を有する錠を含む。１つ以上の非回転式側部ロックタンブラー（または回転が極めて制限された側部ロックタンブラー）を有するこのような錠は、回転自在な側部ロックタンブラーだけを有する他の錠を含むシステムに使用することができる。図２０（その上部右側に拡大して示した）ではこの後方端部を符号８（上、左）で示し、それ以外のコード位置を符号１乃至７で示している。コード位置８は、図１２の部分１１５に相当する。
【００５０】
非回転式の側部ロックタンブラー２０６’’’のフィンガー部２０８’’’（図２２）が３０°の角度で広がった扇形を形成し、回転を妨げる（図４参照）基部２０８’’’ｂと挿入されたキーブレードの自由端部から離れて位置するキーブレードの追加の側部コード部と係合するように錠の前側（図１参照）に向かって変位した狭い先端部２０８’’’ｔを有する。
【００５１】
同じようなロックキーシステムにおいて、図２１に示すような側部ロックタンブラー２０６’’を有する錠を使用することができる。これらの側部ロックタンブラー２０６’’は、基部から自由端または先端へと３０°の広がりを持って延びたフィンガー部２０８’’を有する。このようなフィンガー部２０８’’は、コード位置７、８の両方と協働し、また他のコード位置またはこのような他のコード位置のいくつかもしくは全ての傾斜部と協働する。
【００５２】
キーブレードのコード位置８は、最も高い、またはほぼ最も高いレベルに位置しているので、キーブレードが錠に挿入される間、コード位置８の方へ側部ロックタンブラーのフィンガー部を案内する傾斜は非常に小さいか、全くない。このため、コード位置８の近傍で側部ロックタンブラーのフィンガー部の揺動位置を限定された揺動角度内（例えば５°または１０°未満）に制限する、またはこの位置での揺動（図２０乃至２２に示すように）を完全に防ぐ必要がある。
【００５３】
回転しない、または小さい角度領域内でしか回転しないこのような特別な形状の側部ロックタンブラーのフィンガー部は、錠のキースロット（図１の２０１）を介して覗き込むことによって確認されてしまう。このような側部ロックタンブラーが錠内に存在するか、またはどこに存在するかを確認できないようにするために、他のコード位置例えば１または２のコード位置にも、場合によっては３、４、５、６および７のコード位置にも選択的に使用することが必要である。３、４、５、６および７のコード位置では、側部ロックタンブラーのフィンガー部は、各コード位置への回転方向に鍵の接触面を配向するように形成することも可能である。
【００５４】
コード位置８とこれに対応するように構成された側部ロックタンブラーとの組み合わせによって（５つ）の側部ロックタンブラーの位置のいずれか１つのコード位置に、コード位置８に隣接するコード位置７、５または６に切り込み（即ち、ダブルカット）を入れることも可能である。このような鍵は、コード位置８を有する錠だけでなく、特定のコード位置７、５または６を有する錠も開錠することができる。このダブルカットによって当然のことながら、多くの異なる錠を開錠することができるマスターキーを得ることができる。
【００５５】
図２３乃至２７に示すように波状案内面の上方限界部を形成し、１つ以上の追加の側部コード部を部分的に形成する長手方向に延びた棚状面は、種々の方法で形成することができる。図２３ではこの棚状面１３１は、キーブレード１３０の上方縁部１３２の下方に位置している。この場合、棚状面１３１は、キーブレードの中央面Ｃに対して直角に位置している。
【００５６】
図２４では棚状面１４１は、キーブレード１４０の溝の底部壁であり、この壁は、同じようにキーブレードの中央面に対して直角に位置している。
【００５７】
図２５ではキーブレード１５０は、幅の広い下方部分１５１を有し、この場合、棚状面１５２は、上方に突出し、長手方向に延びた舌部１５３の上方縁部に形成されている。
【００５８】
図２６では棚状面１６２は、アンダーカットされた溝１６１の下方の側壁１６２によって形成され、下方底部壁１６２は、鋭角を形成するためにアンダーカットされており、かつ、溝の底部の方へ内方に向いている。これと類似しているが、複雑な形状のキーブレード１７０のアンダーカットされた溝１７１を図２７に示し、表面領域を符号１７２で示す。
【００５９】
本発明によるロックキーシステムは、当業者であれば変型することができる。上述したように錠の全ての側部ロックタンブラーが回転自在である必要はない。一列の側部ロックタンブラーの数は、異なってもよく、例えば列に２つだけまたは６以上のあらゆる必要な数であってもよく、垂直コードレベルの数も自由に選択してもよい（より多くの垂直コードレベルを使用する場合、素材領域の高さを高くする必要がある）。側部ロックタンブラーのフィンガー部の揺動位置の数は、３未満、例えば２つでもよく、または４つ以上、例えば４または５つであってもよい。回転終了位置の角度は、異なってもよい。鍵の各側に１つの側部コードパターンを設けてもよく、また頂部コードパターン（図１の１０３）を設けなくともよい。また鍵の形状も種々、変更可能である。
【図面の簡単な説明】
【００６０】
【図１】鍵と錠の斜視図であり、より明確に示すために錠の一部を切り欠いて示している。
【図２】図１のII−II線に沿った一部断面図。
【図３】図２のIII線に沿った錠、特に上方から見た側部ロックタンブラーの断面図。
【図４】突出フィンガー部を有する側部ロックタンブラーを介した図２のIV線に沿った錠の別の断面図。
【図５】本発明による波状側部コードパターンを有するキーブレードの斜視図。
【図６ａ】側部コードパターンの可能なバリエーションを有する図５のキーブレードの切り欠き部を拡大して示した斜視図。
【図６ｂ】側部コードパターンの可能なバリエーションを有する図５のキーブレードの切り欠き部を拡大して示した側面図。
【図７ａ】側部コードパターンの可能なバリエーションを有する図５のキーブレードの切り欠き部を拡大して示した斜視図。
【図７ｂ】側部コードパターンの可能なバリエーションを有する図５のキーブレードの切り欠き部を拡大して示した側面図。
【図８ａ】側部コードパターンの可能なバリエーションを有する図５のキーブレードの切り欠き部を拡大して示した斜視図。
【図８ｂ】側部コードパターンの可能なバリエーションを有する図５のキーブレードの切り欠き部を拡大して示した側面図。
【図９ａ】側部コードパターンの可能なバリエーションを有する図５のキーブレードの切り欠き部を拡大して示した斜視図。
【図９ｂ】側部コードパターンの可能なバリエーションを有する図５のキーブレードの切り欠き部を拡大して示した側面図。
【図１０】本発明によるいくつかの追加の側部コード部の切り欠き部の拡大図。
【図１１】本発明によるいくつかの追加の側部コード部の切り欠き部の拡大図。
【図１２】本発明によるいくつかの追加の側部コード部の切り欠き部の拡大図。
【図１３】本発明によるいくつかの追加の側部コード部の切り欠き部の拡大図。
【図１４】本発明によるいくつかの追加の側部コード部の切り欠き部の拡大図。
【図１５】各側部ロックタンブラーのための可能な側部コード部の位置を点で表した本発明のキーブレードの略式側面図。
【図１６】異なる方向を向いた側部ロックタンブラーのフィンガー部を有する図１５に示した側部ロックタンブラーの斜視図。
【図１７】異なる方向を向いた側部ロックタンブラーのフィンガー部を有する図１５に示した側部ロックタンブラーの斜視図。
【図１８】異なる方向を向いた側部ロックタンブラーのフィンガー部を有する図１５に示した側部ロックタンブラーの斜視図。
【図１９】あらゆる回転位置に位置するように設計された側部ロックタンブラーの斜視図。
【図２０】本発明のロックキーシステムの変形例のキーブレードの図１５に類似した略式側面図。
【図２１】図２０のキーブレードと協働する錠に使用するための側部ロックタンブラーの斜視図。
【図２２】図２０のキーブレードと協働する錠に使用するための側部ロックタンブラーの斜視図。
【図２３】本発明に関連して使用することができる可能なキーブレード形状の断面図。
【図２４】本発明に関連して使用することができる可能なキーブレード形状の断面図。
【図２５】本発明に関連して使用することができる可能なキーブレード形状の断面図。
【図２６】本発明に関連して使用することができる可能なキーブレード形状の断面図。
【図２７】本発明に関連して使用することができる可能なキーブレード形状の断面図。
【図２８】コード部として機能する複数の凹部を有する波状の側部コードパターンを有する従来の鍵の斜視図。
【図１】
0004472702.tif 000002
【図２】
0004472702.tif 000003
【図３】
0004472702.tif 000004
【図４】
0004472702.tif 000005
【図５】
0004472702.tif 000006
【図６ａ】
0004472702.tif 000007
【図６ｂ】
0004472702.tif 000008
【図７ａ】
0004472702.tif 000009
【図７ｂ】
0004472702.tif 000010
【図８ａ】
0004472702.tif 000011
【図８ｂ】
0004472702.tif 000012
【図９ａ】
0004472702.tif 000013
【図９ｂ】
0004472702.tif 000014
【図１０】
0004472702.tif 000015
【図１１】
0004472702.tif 000016
【図１２】
0004472702.tif 000017
【図１３】
0004472702.tif 000018
【図１４】
0004472702.tif 000019
【図１５】
0004472702.tif 000020
【図１６】
0004472702.tif 000021
【図１７】
0004472702.tif 000022
【図１８】
0004472702.tif 000023
【図１９】
0004472702.tif 000024
【図２０】
0004472702.tif 000025
【図２１】
0004472702.tif 000026
【図２２】
0004472702.tif 000027
【図２３】
0004472702.tif 000028
【図２４】
0004472702.tif 000029
【図２５】
0004472702.tif 000030
【図２６】
0004472702.tif 000031
【図２７】
0004472702.tif 000032
【図２８】
0004472702.tif 000033